(57)【要約】      （修正有）【課題】フェイスによるインパクトの際にボールに生じる膨張エネルギー利用して飛距離の増加を期待できるゴルフティーを提供する。【解決手段】ゴルフクラブ用のゴルフティーは、実質的に空洞構造から成るティー本体を具備し、ティー本体は中間胴部１３と、その下端に設けた尖鋭な端部１２と、同様にその上端に設けたゴルフボールを置くボール置き部１４とを有する一体構造体であり、ボール置き部１４は、フェイスによるインパクト時にボールに変形を生じた際に、ティー本体の空洞構造１５が実質的に密閉されるように、ボールとの接触部における横断面が所定の角度の支持縁１７を有している。【選択図】図２
2015208529.tif 000002
【特許請求の範囲】
【請求項１】
トランポリン効果を利用するゴルフクラブ用のゴルフティーであって、
実質的に空洞構造から成るティー本体を具備し、
上記ティー本体は中間胴部と、その下端に設けた尖鋭な端部と、同様にその上端に設けたゴルフボールを置くボール置き部とを有する一体構造体であり、
上記ボール置き部は、フェイスによるインパクト時にボールに変形を生じた際に、ティー本体の空洞構造が実質的に密閉されるように、ボールとの接触部における横断面が所定の角度の支持縁を有している
トランポリン効果を利用するゴルフティー。
【請求項２】
ティー本体は、空洞構造の容積を確保するために、一般的なゴルフティーよりも太く形成されており、ティー本体は一般的なゴルフティーの１．５〜２倍の太さに、また、空洞構造の容積は一般的なゴルフティーの２００〜３００％の大きさに設定されている
請求項１記載のトランポリン効果を利用するゴルフクラブ用ゴルフティー。
【請求項３】
支持縁は、特に、先端に向かって尖った先端部分を有している
請求項１又は２記載のトランポリン効果を利用するゴルフティー。
【発明の詳細な説明】
【技術分野】
【０００１】
本発明は、トランポリン効果を利用するゴルフクラブ用のゴルフティーに関するものである。
【背景技術】
【０００２】
従来のティーは、パーシモン或いはメタル等のいわゆる硬いヘッドを持つドライバーで打つことを前提としており、ドライバーとゴルフボールとのインパクト時にドライバーのヘッドスピードが落ちないように、ゴルフボールとの接触部分における抵抗が小さくなることを目的として作られたものが多い。これに対し、現在主流となっている、４８０ｃｃのチタンドライバーはいわゆるトランポリン効果を生み出すもので、そのためにフェイスの肉厚が薄く作られており、従来のいわゆる硬いヘッドではないため、従来のティーでは対応が困難である。
【０００３】
トランポリン効果は、肉厚を薄くすることでフェイスが恰もトランポリンのベッドのような役割を果たし、ゴルフボールを強く弾くことを指す。スプリング効果とも言い、反発係数（ＣＯＲ）で測定され、０．８３０を超えるものはルール違反のゴルフクラブとされる。
【０００４】
トランポリン効果を利用するゴルフクラブはフェイスの中心部に溝の全くないものが多く、トランポリン効果を上手く使い切れないときは滑り易く、サイドスピン、バックスピン等が掛かり易くなり、打球が曲がり易い傾向となる。また、高スピンのボールは回転にエネルギーが使われる結果、低スピンのボールと比較して飛距離も落ちることになる。
【０００５】
一方、ゴルフボールはインパクトの瞬間に作用する撃力によって変形する。図４を参照すると、ボールＢはフェイスＦによるインパクトの瞬間にフェイス接触面では凹み、それ以外の部位では膨らむように変形する。その際、ティーＴとの接触部分を通じて膨張エネルギーが地面Ｇに逃げてしまうことになり、逃げ量の大きさは接触面積に比例する。接触面積が大きく、空洞のないティーが一番影響を受け易く、打った後の地面にティーが深く突き刺さることがある。ボールが上がりにくく、低い弾道となり、初速も落ちているため飛距離の増加も見込めない。
【０００６】
上記の考察によれば、フェイスによるインパクトの際にボールに生じる膨張エネルギーを逃がすことなく活用することができるなら、さらに飛距離を伸ばすことができるはずであり、本発明はこのような考察に基づいてなされている。先行技術を調査したが、トランポリン効果を利用するゴルフティーに関する発明を見出すことはできなかった。敢えて文献を挙げるなら特表平１１−５０６９４６号の発明があるが、これはティーとボールとの間の減圧を最少とする理論を実践するもので、本発明にとって重要ではない。
【０００７】
【特許文献１】特表平１１−５０６９４６号
【発明の開示】
【発明が解決しようとする課題】
【０００８】
本発明は前記の点に鑑みなされたもので、その課題は、フェイスによるインパクトの際にボールに生じる膨張エネルギー利用して飛距離の増加を期待できる技術を実現することである。また、本発明の他の課題は、トランポリン効果を有効に活用してゴルフボールの飛距離増大を図ることができるゴルフティーを提供することである。
【課題を解決するための手段】
【０００９】
前記の課題を解決するため、本発明は、トランポリン効果を利用するゴルフクラブ用のゴルフティーについて、実質的に空洞構造から成るティー本体を具備し、上記ティー本体は中間胴部と、その下端に設けた尖鋭な端部と、同様にその上端に設けたゴルフボールを置くボール置き部とを有する一体構造体とし、上記ボール置き部は、フェイスによるインパクト時にボールに変形を生じた際に、ティー本体の空洞構造が実質的に密閉されるように、ボールとの接触部における横断面が所定の角度の支持縁を有しているものとするという手段を講じたものである。
【００１０】
本発明の構成において、ゴルフティーは実質的に空洞構造から成るティー本体を具備している。上記空洞構造は、より大きい容積を有していることが望ましい。容積の大きい方が、後述するように、ボールに対して大きい吸引力を作用させることができる。
【００１１】
具体的には、ティー本体は、空洞構造の容積を確保するために、一般的なゴルフティーよりも太く形成されており、ティー本体は一般的なゴルフティーよりも１．５〜２倍ほど太く、空洞構造の容積は一般的なゴルフティーの２００〜３００％の大きさに設定されることが望ましい。下限が２００％以下では容積増大の効果が小さ過ぎ、上限の３００％を超えると太さが過大になりゴルフティーとしての実用性に問題を生じる。
【００１２】
ティー本体は中間胴部と、その下端に設けた尖鋭な端部と、中間胴部の上端に設けたゴルフボールを置くボール置き部とを有する一体構造体である。中間胴部は下方に向かって全体としてテーパー状に形成することができる。また、中間胴部は一様なパイプ状でも良い。
【００１３】
上記ボール置き部は、フェイスによるインパクト時にボールに変形を生じた際に、ティー本体の空洞構造が実質的に密閉されるように、ボールとの接触部における横断面が所定の角度の支持縁を有している。この支持縁は空洞構造を密閉するために、特に、先端に向かって尖った先端部分を有している。
【発明の効果】
【００１４】
本発明は以上のように構成され、かつ、作用するものであるから、フェイスによるインパクトの際にボールに生じる膨張エネルギー利用してボールをボール置き部に瞬間的に固定し、トランポリン効果を十分に利用して飛距離の増加を期待できる技術を実現するという効果を奏する。また、本発明によれば、トランポリン効果を有効に活用してゴルフボールの飛距離増大を図ることができるゴルフティーを提供することができる。
【発明を実施するための最良の形態】
【００１５】
以下図示の実施形態を参照して本発明をより詳細に説明する。図１は本発明に係るトランポリン効果を利用するゴルフティーの一例を示すもので、このゴルフティー１０は空洞構造から成るティー本体１１を具備している。ティー本体１１は、中間胴部１３と、その下端に設けた尖鋭な下端部１２と、同様にその上端に設けたゴルフボールを置くボール置き部１４とを有する。
【００１６】
例１における上記中間胴部１３は、直径が上部から下部に向かうにつれて小さくなる、全体としてテーパー状に形成されている。この中間胴部１３は内部が空洞構造１５になっており（図２参照）、空洞構造１５も全体としてテーパー状である。ティー本体１１の肉厚については全体としてほぼ同様であるが、ボール置き部１４ではやや肉厚に設定されている。
【００１７】
中間胴部１３の下端に設けた端部１２は地面に突き刺す部分であり、そのために下端部１６は閉鎖された構造の尖鋭な形態になっている。しかしながら、下端部１６を閉鎖しなくても良いと考えられる場合には、貫通構造も許容される余地がある。
【００１８】
中間胴部１３の上端に設けたゴルフボールを置くボール置き部１４は、大まかに言えばラッパ状に開いている。このボール置き部１４は、フェイスによるインパクト時にボールに変形を生じた際の膨張エネルギーにより、ティー本体１１の空洞構造が実質的に密閉されるように、ボールとの接触部における横断面が任意の角度の支持縁１７になっている。
【００１９】
図示の例における支持縁１７は、特に、先端に向かって尖った先端部分を有している。この先端部分は外方へ傾斜した内面１８と、内方へ傾斜した外面１９との交差部分に形成されていることが望ましい。図示の例における内面１８と外面１９とは、垂線に対してほぼ対称的に形成されている。つまり、支持縁１７の内面１８と外面１９とは同一の傾斜角度に形成されている。上記支持縁１７は線状のエッジであること、或いはほとんど幅の無い形態であることが望ましい。
【００２０】
図示の例では、内面１８と外面１９とから構成される支持縁１７がボール置き部１４の上端部からやや突出するように形成されている。このため、支持縁１７の断面形状はあたかも猫の耳のようになり、空洞構造１５の上端部におけるゴルフボールによる閉鎖が効果的に行なえるようになる。
【００２１】
ティー本体１１は一般的なゴルフティーよりも太く形成され、かつ、空洞構造１５の容積が一般的なゴルフティーよりも大きく設定されている。単なる空洞構造はこれまでにも実施されている可能性もあるが、本発明の場合一般的なそれらと比較して、空洞構造は２００〜３００％の大きさに（実施形態１では２００％）設定されている。また、ティー本体は同じく１．５〜２倍の太さに（実施形態では１．５倍の太さ）設定されている。
【００２２】
このような構成を有する、本発明のトランポリン効果を利用するゴルフティー１０は、合成樹脂を用いて形成されるのが最も一般的なものである。また、それが安価かつ量産性の面でも最もかなっている。しかし、樹脂製に限定する趣旨ではなく、必要があれば金属又はその他の材料を用いて任意の加工方法により制作することも可能である。
【００２３】
このような構成を有する本発明のゴルフティー１０は、従来のゴルフティーと同様に地面Ｇに突き刺して固定し、そのボール置き部１４にゴルフボールＢを置くことで、支持縁１７に支持される。このとき、ボールＢを置いた支持縁１７はボールＢの表面に密着する（表面にはディンプルがあるが、実質的に密着した状態にあると見做し得る。）。
【００２４】
ボール置き部１４に置かれたゴルフボールＢに対してゴルフクラブが振りおろされると、インパクトの瞬間に作用する撃力によって、ボールＢはフェイスＦとの接触面では凹み、それ以外の部位では膨らむように変形する。変形の際、ゴルフティー１０との接触部分を通じて膨張エネルギーが地面Ｇの方向に作用し、かつ、ディンプルを含むボールＢの周囲から空気が逃げ、その後、空洞構造１５が密封されるようになることでボールＢがティー本体１１に吸引されるような状態が作り出される。
【００２５】
このようにしてボールＢがボール支持部１４に瞬間的に固定され、それと同時にフェイスＦによるトランポリン効果がボールＢに作用する。従って、トランポリン効果が最大限に引き出され、ボールＢは与えられた打撃条件における最高の飛距離まで飛翔することになる。
【００２６】
本発明のゴルフティー１０は傾斜させて地面Ｇに突き刺し、ボール置き部１４にボールＢを置いてもボールＢを安定に支持することができる。傾斜可能な角度Ａはおよそ１７度に及ぶが、これは言い換えれば、ボール置き部１４が十数度に傾けても落ちない大きさを有しているということである（図３参照）。
【００２７】
何れにせよ、本発明においてはゴルフティー１０を傾斜させて地面に固定し、その状態でボール置き部１４にボールＢを置き、ゴルフクラブでそのボールＢを打つことができ、それによりゴルフティー１０の傾斜した方向へ落ちようとする力がボールに働く。このため、ボールＢを水平に支えるゴルフティーと異なり、状況に応じたスピンコントロールが可能になるという作用が得られる。
【図面の簡単な説明】
【００２８】
【図１】本発明に係るトランポリン効果を利用するゴルフティーの一例を示す正面図である。
【図２】同上におけるゴルフティーの縦断面図である。
【図３】同上における傾斜使用状態を示す断面説明図である。
【図４】従来例に関する断面説明図である。
【符号の説明】
【００２９】
１０  ゴルフティー
１１  ティー本体
１２  尖鋭な端部
１３  中間胴部
１４  ボール置き部
１５  空洞構造
１６  下端部
１７  支持縁
１８  内面
１９  外面  
Ａ  角度
Ｂ  ボール
Ｆ  フェイス
Ｇ  地面
Ｔ  従来のティー
【図１】
2015208529.tif 000003
【図２】
2015208529.tif 000004
【図３】
2015208529.tif 000005
【図４】
2015208529.tif 000006